【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
基地局と接続され、位置情報要求信号を送信し、前記位置情報要求信号に応答した位置情報を受信する携帯電話機と、前記携帯電話機にて受信した前記位置情報を受け、前記携帯電話機の現在位置から前記位置情報に基づく目的地までの経路を表示するナビゲーション装置とを備えることを特徴とするカーナビゲーションシステム。
【請求項２】
複数の第１の自動車のそれぞれに搭載された第１の携帯電話機と、複数の第２の自動車のそれぞれに搭載された第２の携帯電話機及びこの第２の携帯電話機に接続したカーナビゲーション装置と、公衆移動通信網に接続しこの公衆移動通信網と前記第１の及び第２の携帯電話機間の中継を行う複数の基地局と、前記公衆移動通信網に接続し前記第１及び第２の携帯電話機の緯度及び経度を含んだ位置情報を提供する位置情報センターとを備えるカーナビゲーションシステムであって、
前記位置情報センターは前記複数の基地局のそれぞれのコード情報及びこのコード情報に対応付けられた前記複数の基地局のそれぞれの緯度及び経度を含んだ位置情報を記憶する基地局情報記憶手段と、前記公衆移動通信網を介して受信した前記携帯電話機の緯度及び経度を含んだ位置情報の要求をこの要求を発信したカーナビゲーション装置に接続する前記第２の携帯電話機の電話番号と共に受信すると前記位置情報が要求されている前記携帯電話機に対して前記位置情報の取得要求信号を送信する第１の送信手段と、前記位置情報が要求されている前記携帯電話機からの電波強度及び指向性情報を受信した基地局からのその基地局のコード情報並びに前記電波強度及び指向性情報を前記公衆移動通信網を介して受信する受信手段と、前記受信した基地局のコード情報並びに前記電波強度及び指向性情報を基に前記位置情報が要求されている前記携帯電話機の緯度及び経度を算出する算出手段と、この算出した緯度及び経度を含んだ位置情報を前記公衆移動通信網を介してこの位置情報を要求したカーナビゲーション装置へ送信する第２の送信手段とを有することを特徴とするカーナビゲーションシステム。
【請求項３】
前記カーナビゲーション装置は前記緯度及び経度を含んだ位置情報を要求する携帯電話機の電話番号及び前記位置情報の要求信号を接続する前記第２の携帯電話機を介して送信する第３の送信手段と、前記位置情報センターから送られた緯度及び経度を含んだ位置情報を受信して記憶すると共に地図データを記憶する記憶手段と、この記憶手段に記憶した前記位置情報を前記ナビゲーション装置用にデータ変換して前記地図データと共に表示する表示手段と、この表示手段を参照して前記位置情報をこの位置情報が要求された前記携帯電話機の第１の目的地として設定する第１の設定手段と、前記第１の目的地と前記カーナビゲーション装置の現在地との第１の最適・最短径路を前記地図データを参照して解析し算出する第１の径路解析・算出手段と、この第１の径路解析・算出手段による解析・算出の結果を前記記憶手段に記憶させまた前記表示手段に表示させる制御手段と、この第１の制御手段の結果によって前記表示手段に表示された径路を基に前記カーナビゲーション装置を搭載している自動車を前記第１の目的地へ誘導する誘導手段とを有することを特徴とする請求項２記載のカーナビゲーションシステム。
【請求項４】
前記位置情報が要求された前記携帯電話機の現在地と任意に指定された第２の目的地との第２の最適・最短径路を前記地図データを参照して解析し算出する第２の径路解析・算出手段と、この第２の径路解析・算出手段による解析・算出の結果の径路を前記記憶手段に記憶させまた前記表示手段に表示させる前記制御手段と、前記記憶手段に記憶された前記第２の最適・最短径路を前記地図データ内に含めて予め定められた動画通信用の動画符号化方式によるデータ圧縮した後接続している前記第２の携帯電話機のモバイル・データ通信機能によって、前記携帯電話機へ送信するデータ送信手段とを有することを特徴とする請求項３記載のカーナビゲーションシステム。
【請求項５】
前記第２の設定手段で前記第２の目的地が設定されて前記表示手段の地図上で前記位置情報が要求された前記携帯電話機を前記第２の目的地へ前記第２の最適・最短径路で移動させる場合の全道順の案内情報を文字データに変換し集積・記憶する文字データ集積・記憶手段と、前記文字データを前記携帯電話機へ送信する前記データ送信手段とを有することを特徴とする請求項３，４記載のカーナビゲーションシステム。
【請求項６】
前記第２の設定手段で前記第２の目的地が設定されて前記表示手段の地図上で前記位置情報が要求された前記携帯電話機を前記第２の目的地へ前記第２の最適・最短径路で移動させる場合の全道順の案内情報を音声データに変換して集積・記憶する音声データ集積・記憶手段と、この音声データ集積・記憶手段からの前記音声データを接続する前記第２の携帯電話機及び前記公衆移動通信網を介して前記携帯電話機へ送信する音声データ送信手段とを有することを特徴とする請求項３，４記載のカーナビゲーションシステム。
【請求項７】
前記位置情報センターは前記第１の送信手段によって前記位置情報が要求されている前記携帯電話機に対して前記位置情報の取得要求信号の送信の後に、前記携帯電話機自身の位置測定に基づいた緯度及び経度を含んだ第２の位置情報を前記受信手段で受信すると、前記第２の位置情報を前記位置情報を要求したカーナビゲーション装置へ前記第２の送信手段によって送信することを特徴とする請求項２記載のカーナビゲーションシステム。
【請求項８】
前記位置情報センターが、前記第１の送信手段によって前記位置情報が要求されている前記携帯電話機に対して前記位置情報の取得要求信号を送信した後に、前記位置情報を要求したカーナビゲーション装置は接続する第２の携帯電話機を介して前記携帯電話機自身の位置測定に基づいた緯度及び経度を含んだ前記第２の位置情報を直接受信すると、前記記憶手段に記憶すると共に前記表示手段に表示する地図上に前記携帯電話機の位置を表示することを特徴とする請求項２，３及び７記載のカーナビゲーションシステム。
【請求項９】
前記位置情報が要求されている前記携帯電話機となる前記第１の携帯電話機は前記自身の位置測定に用いることができるＧＰＳ受信機を搭載し、また、発信者の電話番号を表示できる番号表示手段を有することを特徴とする請求項２，７及び８記載のカーナビゲーションシステム。
【手続補正２】
【補正対象書類名】明細書
【補正対象項目名】００１７
【補正方法】変更
【補正の内容】
【００１７】
【課題を解決するための手段】本発明のカーナビゲーションシステムは、基地局と接続され、位置情報要求信号を送信し、前記位置情報要求信号に応答した位置情報を受信する携帯電話機と、前記携帯電話機にて受信した前記位置情報を受け、前記携帯電話機の現在位置から前記位置情報に基づく目的地までの経路を表示するナビゲーション装置とを備えることを特徴とするカーナビゲーションシステムである。また、複数の第１の自動車のそれぞれに搭載された第１の携帯電話機と、複数の第２の自動車のそれぞれに搭載された第２の携帯電話機及びこの第２の携帯電話機に接続したカーナビゲーション装置と、公衆移動通信網に接続しこの公衆移動通信網と前記第１の及び第２の携帯電話機間の中継を行う複数の基地局と、前記公衆移動通信網に接続し前記第１及び第２の携帯電話機の緯度及び経度を含んだ位置情報を提供する位置情報センターとを備えるカーナビゲーションシステムであって、前記位置情報センターは前記複数の基地局のそれぞれのコード情報及びこのコード情報に対応付けられた前記複数の基地局のそれぞれの緯度及び経度を含んだ位置情報を記憶する基地局情報記憶手段と、前記公衆移動通信網を介して受信した前記携帯電話機の緯度及び経度を含んだ位置情報の要求をこの要求を発信したカーナビゲーション装置に接続する前記第２の携帯電話機の電話番号と共に受信すると前記位置情報が要求されている前記携帯電話機に対して前記位置情報の取得要求信号を送信する第１の送信手段と、前記位置情報が要求されている前記携帯電話機からの電波強度及び指向性情報を受信した基地局からのその基地局のコード情報並びに前記電波強度及び指向性情報を前記公衆移動通信網を介して受信する受信手段と、前記受信した基地局のコード情報並びに前記電波強度及び指向性情報を基に前記位置情報が要求されている前記携帯電話機の緯度及び経度を算出する算出手段と、この算出した緯度及び経度を含んだ位置情報を前記公衆移動通信網を介してこの位置情報を要求したカーナビゲーション装置へ送信する第２の送信手段とを有し、前記カーナビゲーション装置は前記緯度及び経度を含んだ位置情報を要求する携帯電話機の電話番号及び前記位置情報の要求信号を接続する前記第２の携帯電話機を介して送信する第３の送信手段と、前記位置情報センターから送られた緯度及び経度を含んだ位置情報を受信して記憶すると共に地図データを記憶する記憶手段と、この記憶手段に記憶した前記位置情報を前記ナビゲーション装置用にデータ変換して前記地図データと共に表示する表示手段と、この表示手段を参照して前記位置情報をこの位置情報が要求された前記携帯電話機の第１の目的地として設定する第１の設定手段と、前記第１の目的地と前記カーナビゲーション装置の現在地との第１の最適・最短径路を前記地図データを参照して解析し算出する第１の径路解析・算出手段と、この第１の径路解析・算出手段による解析・算出の結果を前記記憶手段に記憶させまた前記表示手段に表示させる制御手段と、この第１の制御手段の結果によって前記表示手段に表示された径路を基に前記カーナビゲーション装置を搭載している自動車を前記第１の目的地へ誘導する誘導手段とを有し、また、前記位置情報が要求された前記携帯電話機の現在地と任意に指定された第２の目的地との第２の最適・最短径路を前記地図データを参照して解析し算出する第２の径路解析・算出手段と、この第２の径路解析・算出手段による解析・算出の結果の径路を前記記憶手段に記憶させまた前記表示手段に表示させる前記制御手段と、前記記憶手段に記憶された前記第２の最適・最短径路を前記地図データ内に含めて予め定められた動画通信用の動画符号化方式によるデータ圧縮した後接続している前記第２の携帯電話機のモバイル・データ通信機能によって、前記携帯電話機へ送信するデータ送信手段とを有し、また、前記第２の設定手段で前記第２の目的地が設定されて前記表示手段の地図上で前記位置情報が要求された前記携帯電話機を前記第２の目的地へ前記第２の最適・最短径路で移動させる場合の全道順の案内情報を文字データに変換し集積・記憶する文字データ集積・記憶手段と、前記文字データを前記携帯電話機へ送信する前記データ送信手段とを有し、また、前記第２の設定手段で前記第２の目的地が設定されて前記表示手段の地図上で前記位置情報が要求された前記携帯電話機を前記第２の目的地へ前記第２の最適・最短径路で移動させる場合の全道順の案内情報を音声データに変換して集積・記憶する音声データ集積・記憶手段と、この音声データ集積・記憶手段からの前記音声データを接続する前記第２の携帯電話機及び前記公衆移動通信網を介して前記携帯電話機へ送信する音声データ送信手段とを有し、また、前記位置情報センターは前記第１の送信手段によって前記位置情報が要求されている前記携帯電話機に対して前記位置情報の取得要求信号の送信の後に、前記携帯電話機自身の位置測定に基づいた緯度及び経度を含んだ第２の位置情報を前記受信手段で受信すると、前記第２の位置情報を前記位置情報を要求したカーナビゲーション装置へ前記第２の送信手段によって送信し、また、前記位置情報センターが、前記第１の送信手段によって前記位置情報が要求されている前記携帯電話機に対して前記位置情報の取得要求信号を送信した後に、前記位置情報を要求したカーナビゲーション装置は接続する第２の携帯電話機を介して前記携帯電話機自身の位置測定に基づいた緯度及び経度を含んだ前記第２の位置情報を直接受信すると、前記記憶手段に記憶すると共に前記表示手段に表示する地図上に前記携帯電話機の位置を表示し、前記位置情報が要求されている前記携帯電話機となる前記第１の携帯電話機は前記自身の位置測定に用いることができるＧＰＳ受信手段と、発信者の電話番号を表示できる番号表示手段とを有している。